(57)【要約】【課題】周端部の縁を損傷する恐れがない床板を提供すること、ダンサーが強いステップを踏んだときに、各フロアー（床板）の隣接する箇所の補強テープ片の上縁辺につまずかないようにすることなど。【解決手段】床板１Ａの周端部の肉厚部分を形成している上方係合突起１ａの周側面に金属製又は硬質合成樹脂製の第１補強テープ片１１を、その上縁辺１１ａが上方係合突起１ａの上方縁辺から物理的に突出しないように張り付け、同様に床板１Ａの周端部の肉厚部分を形成している下方係合突起１ｂの周側面にも、金属製又は合成樹脂製の第２補強テープ片１２を、その下縁辺１２ｂが下方係合突起１ｂの下方縁辺から物理的に突出しないように張り付けたことを特徴とするダンスフロアー用組立床。【選択図】図１１
0003150896.tif 000002
【実用新案登録請求の範囲】
【請求項１】
周側面に係合溝２が設けられた複数枚の床板１Ａと、これらの床板の前記係合溝に嵌め込まれ床板同志を水平状態に連結する複数枚の連結板３と、これらの連結板に前記床板を固定することができるように各床板の側端縁部に床面の上面と同一平面になるように嵌着された複数個の固定具４とから成り、前記固定具は、床板１Ａに嵌着された際に側面の係合溝２と一致する水平切欠部５を有し、かつ該水平切欠部と垂直方向に連通する螺孔６が形成された嵌合体７と、この嵌合体の螺孔６内に床面の上面と同一平面になるように螺脱自在に螺合し、前記水平切欠部に嵌め込まれた連結板３を固定する雄ネジ８とから成るダンスフロアー用組立床であって、前記床板１Ａの周端部の肉厚部分を形成している上方係合突起１ａの周側面に金属製又は硬質合成樹脂製の第１補強テープ片１１を、その上縁辺１１ａが前記上方係合突起１ａの上方縁辺から物理的に突出しないように張り付け、同様に前記床板１Ａの周端部の肉厚部分を形成している下方係合突起１ｂの周側面にも、金属製又は合成樹脂製の第２補強テープ片１２を、その下縁辺１２ｂが前記下方係合突起１ｂの下方縁辺から物理的に突出しないように張り付けたことを特徴とするダンスフロアー用組立床。
【考案の詳細な説明】
【技術分野】
【０００１】
本考案は組立床に関し、特に屋外に設置された又は屋内に敷設された社交ダンスの会場の床として利用される運搬可能な組立床に関する。
【背景技術】
【０００２】
特許文献１は、実開昭４９−４９７１８号公報に記載された組立式フロアー、実開昭５３−６０２６号公報に記載された組立式フロアー等の問題点を解決するために、主に社交ダンスの会場の床として利用される運搬可能な組立床を提案した。
【０００３】
この特許文献１に記載の組立床は、図１乃至図４で示すように、周側面に係合溝２が設けられた複数枚の床板１と、これらの床板の前記係合溝に嵌め込まれ床板同志を水平状態に連結する複数枚の連結板３と、これらの連結板に前記床板を固定することができるように各床板の側端縁部に床面の上面と同一平面になるように嵌着された複数個の固定具４とから成り、前記固定具は、床板１に嵌着された際に側面の係合溝２と一致する水平切欠部５を有し、かつ該水平切欠部と垂直方向に連通する螺孔６が形成された嵌合体７と、この嵌合体の螺孔６内に床面の上面と同一平面になるように螺脱自在に螺合し、前記水平切欠部に嵌め込まれた連結板３を固定する雄ネジ８とから成るものである（符号は特許文献１と同じ）。
【０００４】
上記構成の組立床は、使用するにつれて、継ぎ目がいわゆる「ギシギシ」と緩まないこと、各フロアー（床板）を分解する時に分解しようとする当該フロアーの角部を損傷しないようにすることができること、各フロアーを分解した時に床面に固着具の跡が残らないと共に、分解が非常に簡単であること、ダンスフロアー等の床面に適すること等の利点がある。
【０００５】
しかしながら、図４で示すように、床板１の係合溝２は、該床板の周側面の中央部に水平方向に形成されているので、床板１の周端部の断面は、コ字形状と成る。付言すると、床板１の周端部（四辺）の肉厚部分は、長片状の上方係合突起１ａと、前記係合溝２を介して該上方係合突起１ａに対向する長片状の下方係合突起１ｂとから成る。
【０００６】
したがって、ダンサーが強いステップを踏んだとき、或いは、各フロアー（床板）を分解するとき、或いはまた、床板１を保管・運搬等をするときに、床板１の前記上方係合突起１ａや下方係合突起１ｂを損傷する恐れがあった。特に、分解時の不注意により、床板の角部を損傷するという問題点があった。
【先行技術文献】
【特許文献】
【０００７】
【特許文献１】実公平６−５４６６号
【考案の概要】
【考案が解決しようとする課題】
【０００８】
本考案の所期の目的は、特許文献１に記載の床板に於いて、上方係合突起や下方係合突起を損傷する恐れがない床板を提供することである。また、本考案の第２の目的は、ダンサーが強いステップを踏んだときに、各フロアー（床板）の隣接する箇所の補強テープ片の上縁辺につまずかないようにすることである。さらに、多数の床板で所定範囲のフロアーを形成した場合に於いて、補強テープ片を含むフロアー（床面）の上面の平坦度（面一性）を保つことができることである。
【課題を解決するための手段】
【０００９】
本考案のダンスフロアー用組立床は、周側面に係合溝２が設けられた複数枚の床板１Ａと、これらの床板の前記係合溝に嵌め込まれ床板同志を水平状態に連結する複数枚の連結板３と、これらの連結板に前記床板を固定することができるように各床板の側端縁部に床面の上面と同一平面になるように嵌着された複数個の固定具４とから成り、前記固定具は、床板１Ａに嵌着された際に側面の係合溝２と一致する水平切欠部５を有し、かつ該水平切欠部と垂直方向に連通する螺孔６が形成された嵌合体７と、この嵌合体の螺孔６内に床面の上面と同一平面になるように螺脱自在に螺合し、前記水平切欠部に嵌め込まれた連結板３を固定する雄ネジ８とから成るダンスフロアー用組立床であって、前記床板１Ａの周端部の肉厚部分を形成している上方係合突起１ａの周側面に金属製又は硬質合成樹脂製の第１補強テープ片１１を、その上縁辺１１ａが前記上方係合突起１ａの上方縁辺から物理的に突出しないように張り付け、同様に前記床板１Ａの周端部の肉厚部分を形成している下方係合突起１ｂの周側面にも、金属製又は合成樹脂製の第２補強テープ片１２を、その下縁辺１２ｂが前記下方係合突起１ｂの下方縁辺から物理的に突出しないように張り付けたことを特徴とする。
【考案の効果】
【００１０】
（ａ）周端部の肉厚部分を形成している長片状の上方係合突起１ａと、係合溝２を介して該上方係合突起１ａに対向する長片状の下方係合突起１ｂの各周側面に、第１・第２補強テープ片１１、１２をそれぞれ張り付けたので、特許文献１の問題点を解消することができる。
（ｂ）第１補強テープ片の上縁辺及び第２補強テープ片の下縁辺が、床板の上面及び下面からそれぞれ筋状に突出しないように該床板の周側面に貼り付けたので、各フロアー（床板）の上面の平坦度（面一性）を保つことができると同時に、隣接する床板同士の上方縁辺から、互いに接合する第１補強テープ片の上縁辺が筋状に突出しないので、ダンサーが強いステップを踏んだときに、前記上縁辺につまずくこともない。
【図面の簡単な説明】
【００１１】
図１乃至図４は特許文献１に記載の組立床を示す各説明図。図５乃至図１１は特許文献１に記載の組立床を改良した本考案の各説明図。
【図１】組立て状態を示す概略説明図。
【図２】要部の拡大断面説明図。
【図３】床板と連結板の関係を示す概略説明図。
【図４】図３のＩＶ−ＩＶ線断面図。
【図５】図１と同様の概略説明図。
【図６】図２と同様の拡大断面説明図。
【図７】図３と同様の概略説明図。
【図８】図４と同様の断面図。
【図９】主に第１補強テープ片と、該第１補強テープ片の張り付け対象である上方係合突起とを示す概略説明図。
【図１０】主に第２補強テープ片と、該第２補強テープ片の張り付け対象である下方係合突起とを示す概略説明図。
【図１１】第１・第２補強テープ片を長片状の上方係合突起と下方係合突起の各周側面に、それぞれ張り付けた状態の概略説明図。
【図１２】固定具の説明図。
【考案を実施するための最良の形態】
【００１２】
まず、図５乃至図１２を参照にして、本考案の一実施例を説明する。なお、本考案は特許文献１に記載の組立床を改良したものなので、説明の便宜上、図１乃至図４に示した組立床と同一の部分には同一又は同様の符号を付す。
【００１３】
１Ａは側面の中央部に係合溝２が周方向に形成された複数枚の矩形状床板で、この床板１Ａの１枚当りの大きさは畳半分程で、重さは約１０ｋｇ、厚さは約２０ｍｍ、その表面側の厚さ約３ｍｍは桜材でできている。３は床板１の係合溝２に嵌め込まれ、かつ床板同志を水平状態に連結する複数枚の連結板で、これらの連結板３はそれぞれ金属製の長板片である。この連結板３は、床板１Ａ、１Ａ同志を組合せた時、丁度両方の係合溝２、２に嵌り合うように幅寸法が設定され、また長さ寸法は床板１Ａの縦あるいは横よりも多少短く取られている。
【００１４】
４は床板１Ａの係合溝２に嵌め込まれた各連結板３を、各床板１Ａを固定することができるように各床板１Ａの側端縁部に床板の上面と同一平面になるように嵌着された複数個の固定具である。
【００１５】
例えば図５で示すように、固定具４は、隅角部附近に２個ずつ、又は床板１Ａの側端縁部に所定間隔離間して（本実施例）２個ずつ設けられている。
【００１６】
しかして、固定具４は、図１２で示すように、床板１Ａに嵌着された際に前記係合溝２と一致する水平切欠部５を周胴部に有し、かつ該水平切欠部５と垂直方向に連通する螺孔６が形成された円柱状の嵌合体７と、この嵌合体７の螺孔６に床板の上面と同一平面になるように螺合し、前記水平切欠部５に嵌め込まれた金属製連結板３を固定する雄ネジ８とから成る。
【００１７】
図１２で示す符号９は、雄ネジ８の一端部に形成された六角形の嵌合孔１０と嵌合し、該雄ネジ８を回動する棒状のネジ回しである。前記嵌合体７はあらかじめ床板１Ａに固定的に設けられているのに対し、雄ネジ８は螺脱自在に嵌合体７内に設けられ、上端部は嵌合体から突出しないように螺合する。
【００１８】
ここで、図８、図９、図１０、図１１等を参照にすると、符号１１は床板１Ａの周端部の肉厚部分を形成している上方係合突起１ａの周側面に接着層を介して張り付けられた硬質の合成樹脂製（本実施例）の第１補強テープ片で、この第１補強テープ片１１の上縁辺１１ａは、前記上方係合突起１ａの上方縁辺から物理的に突出しない。付言すると、床板１Ａの上面と第１補強テープ片１１の上縁辺１１ａは「面一」である。
【００１９】
また、符号１２は床板１Ａの周端部の肉厚部分を形成している下方係合突起１ｂの周側面に接着層を介して張り付けられた硬質の合成樹脂製（本実施例）の第２補強テープ片で、この第２補強テープ片１２の下縁辺１２ｂは、前記下方係合突起１ｂの下方縁辺から物理的に突出しない。付言すると、床板１Ａの下面と第２補強テープ片１２の下縁辺１２ｂは「面一」である。
【００２０】
このように、本実施例のダンスフロアー用組立床は、特許文献１に記載の組立床を前提として、第１補強テープ片１１の上縁辺１１ａ及び第２補強テープ片１２の下縁辺１２ｂが、床板１Ａの上面及び下面からそれぞれ筋状に突出しないように該床板１の周側面に貼り付けたことを特徴とする。
【００２１】
上記構成にあっては、社交ダンスが開催される会場まで組立てに必要な床板１Ａおよび連結板３を車輛で運搬し、そこでダンスフロアーの組立床を形成する。組立てをする場合は、まず固定具４の雄ネジ８の下端部が床板１Ａの係合溝２から突出していないか否かを確かめ、連結板３を任意の係合溝２に嵌め込む。この場合連結板３は半分だけ係合溝２に嵌合し、残り半分は係合溝２から突出する格好となる。
【００２２】
次に、ネジ回し９で雄ネジ８を一方向に回転すると、雄ネジ８は締められ、その結果、床板１Ａと連結板３は互いに固定状態となる。次に、連結板３の前記突出した残り半分の部分をその他任意の床板１の係合溝２に嵌め込み、そして、前記と同様にネジ回し９で雄ネジ８を締め付ける。このように次々と複数枚の補強テープ片を含む床板１Ａは、複数枚の連結板３を介して面一状態に一体的に連結・固定される。
【実施例】
【００２３】
実施例の第１補強テープ片１１と第２補強テープ片１２は、それぞれ硬質の合成樹脂製であるが、合成樹脂製に代えて適当な金属（例えばアルミニウム）であっても良い。
【産業上の利用可能性】
【００２４】
本考案は、ダンスフロアー用組立床を設置する業者に利用される。
【符号の説明】
【００２５】
１Ａ…床板、１ａ…上方係合突起、１ｂ…下方係合突起、２…係合溝、３…連結板、４…固定具、７…嵌合体、８…雄ネジ、９…ネジ回し、１１…第１補強テープ片、１１ａ…その上縁辺、１２…第２補強テープ片、１２ｂ…その下縁辺。
【図１】
0003150896.tif 000003
【図２】
0003150896.tif 000004
【図３】
0003150896.tif 000005
【図４】
0003150896.tif 000006
【図５】
0003150896.tif 000007
【図６】
0003150896.tif 000008
【図７】
0003150896.tif 000009
【図８】
0003150896.tif 000010
【図９】
0003150896.tif 000011
【図１０】
0003150896.tif 000012
【図１１】
0003150896.tif 000013
【図１２】
0003150896.tif 000014